【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
相変化インクであって、
（Ｉ）相変化インク担体；および（ＩＩ）次式の着色剤化合物
【化１】
2015044992.tif 000001
を含み、
［式中、
（ａ）ＲａおよびＲｂはそれぞれ、他方から独立して：
（ｉ）水素；
（ｉｉ）アルキル中にヘテロ原子が任意に存在してもよい、置換および非置換のアルキルを含むアルキル；
（ｉｉｉ）アリール中にヘテロ原子が任意に存在してもよい、置換および非置換のアリールを含むアリール；
（ｉｖ）アリールアルキルのアリールまたはアルキル部分のいずれかにヘテロ原子が任意に存在してもよい、置換および非置換のアリールアルキルを含むアリールアルキル；または
（ｖ）アルキルアリールのアリールまたはアルキル部分のいずれかにヘテロ原子が任意に存在してもよい、置換および非置換のアルキルアリールを含むアルキルアリールであり；
（ｂ）Ｒ１およびＲ２はそれぞれ、他方から独立して：
（ｉ）Ｒ１およびＲ２の少なくとも１つが水素以外であることを条件として、水素；
（ｉｉ）Ｒ１およびＲ２がともにアルキルであるとき、Ｒ１およびＲ２の少なくとも１つが少なくとも約６個の炭素を有することを条件として、アルキル中にヘテロ原子が任意に存在してもよい、置換および非置換のアルキルを含むアルキル；
（ｉｉｉ）アリール中にヘテロ原子が任意に存在してもよい、置換および非置換のアリールを含むアリール；
（ｉｖ）アリールアルキルのアリールまたはアルキル部分のいずれかにヘテロ原子が任意に存在してもよい、置換および非置換のアリールアルキルを含むアリールアルキル；または
（ｖ）アルキルアリールのアリールまたはアルキル部分のいずれかにヘテロ原子が任意に存在してもよい、置換および非置換のアルキルアリールを含むアルキルアリールである］、相変化インク。
【請求項２】
前記着色剤化合物が式
【化２】
2015044992.tif 000002
の着色剤化合物である、請求項１に記載の相変化インク。
【請求項３】
前記着色剤化合物が式
【化３】
2015044992.tif 000003
の着色剤化合物である、請求項１に記載の相変化インク。
【請求項４】
請求項１に記載の相変化インクであって、Ｒ１およびＲ２の少なくとも１つが、式：
【化４】
2015044992.tif 000004
［式中、ｎは約８から約１００である］；
【化５】
2015044992.tif 000005
［式中、ｍ＋ｐは約８から約１００である］；
【化６】
2015044992.tif 000006
［式中、ｑ＋ｒは約８から約１００である］；
【化７】
2015044992.tif 000007
［式中、ｓ＋ｔは約８から約１００である］；
【化８】
2015044992.tif 000008
［式中、ｕ＋ｖは約８から約１００である］；
【化９】
2015044992.tif 000009
［式中、ｗ＋ｘは約８から約１００である］；
【化１０】
2015044992.tif 000010
［式中、ｙ＋ｚは約８から約１００である］；
【化１１】
2015044992.tif 000011
［式中、ｅ＋ｆは約８から約１００である］；または
（ｉ）その組み合わせである相変化インク。
【請求項５】
Ｒ１およびＲ２の少なくとも１つが少なくとも約１２個の炭素を有する、請求項１に記載の相変化インク。
【請求項６】
前記着色剤化合物が、インクの少なくとも約０．１重量％以上の量でインク中に存在する、請求項１に記載の相変化インク。
【請求項７】
前記着色剤化合物が、インクの約２０重量％以下の量でインク中に存在する、請求項１に記載の相変化インク。
【請求項８】
前記担体が分岐トリアミドを含む、請求項１に記載の相変化インク。
【請求項９】
前記分岐トリアミドが式
【化１２】
2015044992.tif 000012
である、請求項８に記載のインク［式中、ｘ、ｙおよびｚは、それぞれ独立して、プロピレンオキシ繰り返し単位の数を表し、ｘ＋ｙ＋ｚは約５から約６であり、ここで、ｐ、ｑおよびｒは繰り返し（ＣＨ２）単位の数を表す整数であり、ここで、ｐ、ｑおよびｒはそれぞれ、他方から独立して約３４から約４０である］。
【請求項１０】
前記担体がウレタン樹脂を含む、請求項１に記載の相変化インク。
【請求項１１】
前記担体が分岐トリアミド、モノアミド、ポリエチレンワックスおよびウレタン樹脂を含む、請求項１に記載の相変化インク。
【請求項１２】
前記担体が非晶性成分および結晶性成分を含む、請求項１に記載の相変化インク。
【請求項１３】
相変化インクであって、  （Ｉ）トリアミドを含む相変化インク担体；および（ＩＩ）次式の着色剤化合物
【化１３】
2015044992.tif 000013
を含み、
［式中、
（ａ）ＲａおよびＲｂはそれぞれ、他方から独立して：
（ｉ）水素；
（ｉｉ）約１から約１００個の炭素を有するアルキル中にヘテロ原子が任意に存在してもよい、置換および非置換のアルキルを含むアルキル；
（ｉｉｉ）約４から約２４個の炭素を有するアリール中にヘテロ原子が任意に存在してもよい、置換および非置換のアリールを含むアリール；
（ｉｖ）約５から約１００個の炭素を有するアリールアルキルのアリールまたはアルキル部分のいずれかにヘテロ原子が任意に存在してもよい、置換および非置換のアリールアルキルを含むアリールアルキル；または
（ｖ）約５から約１００個の炭素を有するアルキルアリールのアリールまたはアルキル部分のいずれかにヘテロ原子が任意に存在してもよい、置換および非置換のアルキルアリールを含むアルキルアリールであり；
（ｂ）Ｒ１およびＲ２はそれぞれ、他方から独立して：
（ｉ）Ｒ１およびＲ２の少なくとも１つが水素以外であることを条件として、水素；
（ｉｉ）Ｒ１およびＲ２がともにアルキルであるとき、Ｒ１およびＲ２の少なくとも１つが一実施形態において少なくとも約６個の炭素を有することを条件として、アルキル中にヘテロ原子が任意に存在してもよい、置換および非置換のアルキルを含むアルキル；
（ｉｉｉ）約４から約２４個の炭素を有するアリール中にヘテロ原子が任意に存在してもよい、置換および非置換のアリールを含むアリール；
（ｉｖ）約５から約１００個の炭素を有するアリールアルキルのアリールまたはアルキル部分のいずれかにヘテロ原子が任意に存在してもよい、置換および非置換のアリールアルキルを含むアリールアルキル；または
（ｖ）約５から約１００個の炭素を有するアルキルアリールのアリールまたはアルキル部分のいずれかにヘテロ原子が任意に存在してもよい、置換および非置換のアルキルアリールを含むアルキルアリールである］、相変化インク。
【請求項１４】
前記着色剤化合物が式
【化１４】
2015044992.tif 000014
の着色剤化合物である、請求項１３に記載の相変化インク。
【請求項１５】
前記着色剤化合物が式
【化１５】
2015044992.tif 000015
の着色剤化合物である、請求項１３に記載の相変化インク。
【請求項１６】
前記担体が分岐トリアミドを含む、請求項１３に記載の相変化インク。
【請求項１７】
前記担体がトリアミド、モノアミド、ポリエチレンワックスおよびウレタン樹脂を含む、請求項１３に記載の相変化インク。
【請求項１８】
相変化インクであって、  （Ｉ）分岐トリアミド、モノアミド、ポリエチレンワックスおよびウレタン樹脂を含む相変化インク担体；および（ＩＩ）次式の着色剤化合物
【化１６】
2015044992.tif 000016
を含み、
［式中、
（ａ）ＲａおよびＲｂはそれぞれ、他方から独立して：
（ｉ）水素；
（ｉｉ）約１から約１００個の炭素を有するアルキル中にヘテロ原子が任意に存在してもよい、置換および非置換のアルキルを含むアルキル；
（ｉｉｉ）約４から約２４個の炭素を有するアリール中にヘテロ原子が任意に存在してもよい、置換および非置換のアリールを含むアリール；
（ｉｖ）約５から約１００個の炭素を有するアリールアルキルのアリールまたはアルキル部分のいずれかにヘテロ原子が任意に存在してもよい、置換および非置換のアリールアルキルを含むアリールアルキル；または
（ｖ）約５から約１００個の炭素を有するアルキルアリールのアリールまたはアルキル部分のいずれかにヘテロ原子が任意に存在してもよい、置換および非置換のアルキルアリールを含むアルキルアリールであり；
（ｂ）Ｒ１およびＲ２はそれぞれ、他方から独立して：
（ｉ）Ｒ１およびＲ２の少なくとも１つが水素以外であることを条件として、水素；
（ｉｉ）Ｒ１およびＲ２がともにアルキルであるとき、Ｒ１およびＲ２の少なくとも１つが一実施形態において少なくとも約６個の炭素を有することを条件として、アルキル中にヘテロ原子が任意に存在してもよい、置換および非置換のアルキルを含むアルキル；
（ｉｉｉ）約４から約２４個の炭素を有するアリール中にヘテロ原子が任意に存在してもよい、置換および非置換のアリールを含むアリール；
（ｉｖ）約５から約１００個の炭素を有するアリールアルキルのアリールまたはアルキル部分のいずれかにヘテロ原子が任意に存在してもよい、置換および非置換のアリールアルキルを含むアリールアルキル；または
（ｖ）約５から約１００個の炭素を有するアルキルアリールのアリールまたはアルキル部分のいずれかにヘテロ原子が任意に存在してもよい、置換および非置換のアルキルアリールを含むアルキルアリールであり； 
ここで、Ｒ１およびＲ２の少なくとも１つが少なくとも約１２個の炭素を有する］、相変化インク。